(57)【要約】      （修正有）【課題】ロータリーアトマイザを横に倒すときに、シャフト及びシールの破損を防ぐことができる、ロータ受け冶具を提供する。【解決手段】ロータリーアトマイザのロータ１２０の外周面に接するロータ支持部１０と、ロータ支持部１０に結合し、ロータリーアトマイザのスタンドと取り外し可能に締結するスタンド支持部２０とを具備する。ロータ支持部１０とスタンド支持部２０とは、回転軸方向に対して傾いたロータ１２０の荷重をスタンドに基づいて支え、ロータ１２０の外周面とスタンドとの距離４０を一定に保つ。【選択図】図５
0003149605.tif 000002
【実用新案登録請求の範囲】
【請求項１】
ロータリーアトマイザのロータの外周面に接するロータ支持部と、
前記ロータ支持部に結合し、前記ロータリーアトマイザのスタンドと取り外し可能に締結するスタンド支持部と、
を具備し、
前記ロータ支持部と前記スタンド支持部とは、回転軸方向に対して傾いた前記ロータの荷重を前記スタンドに基づいて支え、前記ロータの外周面と前記スタンドとの距離を一定に保つ
ロータ受け冶具。
【請求項２】
請求項１に記載のロータ受け冶具であって、
前記ロータ支持部は、
前記ロータの外周面と面接触する円弧状の接触部と、
前記ロータと面接触する前記接触部の第１面に接着するパッキンと、
前記接触部の前記第１面と反対側の第２面から延びでて、前記スタンド支持部が結合する取付部と、
を備える
ロータ受け冶具。
【請求項３】
請求項２に記載のロータ受け冶具であって、
前記スタンド支持部は、
前記取付部と結合し、前記スタンドと接する支持部と、
前記スタンドの外周面に接しながら周回し、前記支持部と取り外し可能に締結するＵ字ボルト部と、
を備える
ロータ受け冶具。
【請求項４】
請求項３に記載のロータ受け冶具であって、
前記ロータリーアトマイザは複数の前記スタンドを有し、
前記ロータ支持部は、複数の前記スタンドのうちの１つと締結する前記スタンド支持部が２つ結合する
ロータ受け冶具。
【考案の詳細な説明】
【技術分野】
【０００１】
本考案は、ロータリーアトマイザを整備する冶具に関し、特にロータを支える冶具に関する。
【背景技術】
【０００２】
家庭や事業場などから発生するし尿及び浄化槽汚泥などのし尿等は、し尿処理施設へ搬入され処理されている。し尿処理施設において、ゴミが取り除かれたし尿等は、有機物を分解・除去するために硝化脱窒素槽へ送られる。硝化脱窒素槽において、し尿等に含まれる有機物は、硝化菌や脱窒素菌の働きによって効率よく分解・除去される。硝化脱窒素槽では、槽の底１０ｍ程に沈められたロータリーアトマイザが、ロータ内部に供給された空気（酸素）をロータの回転力で微細気泡にし、槽内へ拡散する。ロータリーアトマイザが大量の酸素をし尿中に溶解させることができるため、硝化と脱窒素とを同時に効率よく行うことができる。
【０００３】
ロータリーアトマイザの構成例を説明する。図１は、ロータリーアトマイザ１００の構成例を示した図である。図１を参照すると、ロータリーアトマイザ１００は、モータ部１１０と、ロータ１２０と、スタンド１３０とを具備する。
【０００４】
モータ部１１０はロータ１２０と連結し、ロータ１２０を回転させる。モータ部１１０は水槽内に空気を拡散させるために、ロータ１２０を６００〜８００ｒｐｍ程度で回転させる。ロータ１２０は円筒形状であり、上面にモータ部１１０が連結する。ロータ１２０の下面は、空気を供給及び排出できるように開口されている。ロータ１２０の下面から供給された空気は、ロータ１２０の内部容積を超えると下面から漏れ出して、ロータ１２０の回転に基づいて微細化されて水槽内へ拡散される。スタンド１３０は、モータ部１１０及びロータ１２０の回転軸が鉛直方向になるように支持する。
【０００５】
図１を参照すると、モータ部１１０は、シャフト１１１と、オイル室１１２と、シール１１３とを備える。シャフト１１１は、端部がモータ部１１０内部に備えられた駆動部（図示せず）と連結し、任意の回転数で回転する回転軸である。シャフト１１１のもう一方の端部には、ロータ１２０が連結される。オイル室１１２は、モータ部１１０を駆動するための潤滑オイルが収容されている。シール１１３は、シャフト１１１と接触し、オイル室１１２に含まれるオイルがシャフト１１の隙間から漏出することを防ぐことができる。
【０００６】
スタンド１３０は、柱部１３１と、下部補強部１３２と、上部補強部１３３とを含む。スタンド１３０は複数の柱部１３１を含み、複数の柱部１３１によってモータ部１１０とロータ１２０とを支える。柱部１３１が例えば３つ含まれる場合、３つの柱部１３１はロータ１２０（シャフト１１１）を中心として、中心角１２０度で均等に配置される。下部補強部１３２及び上部補強部１３３は、複数の柱部１３１と結合し、複数の柱部１３１が配置された位置を維持するために補強する。
【０００７】
その他、ロータリーアトマイザに関わる従来技術は特許文献１に開示されている。
【先行技術文献】
【特許文献】
【０００８】
【特許文献１】実登第１８１６５８０号
【考案の概要】
【考案が解決しようとする課題】
【０００９】
ロータリーアトマイザ１００は、定期的に水槽から引き上げられて整備、点検される。ロータリーアトマイザ１００は、整備、点検される際に横に倒されることがある。しかし、ロータ１２０は片持ちでシャフト１１１に連結されているため、ロータリーアトマイザ１００が倒されると、シャフト１１１の回転軸方向にぶら下がっていた荷重が、シャフト１１１の回転軸方向に対し傾いて掛かかることになる。シャフト１１１の回転軸方向に対して傾いてかかる力は、シャフト１１１に曲がりを生じさせたり、シール１１３を損傷させたりする原因となる。シャフト１１１が曲がると、ロータリーアトマイザ１００の動作時の振動が大きくなる不具合を生じさせ、更には、シール１１３も損傷させてしまう。シール１１３の損傷は、汚水の浸入を招き、ロータリーアトマイザ１００の破損へと繋がる。
【００１０】
本考案の目的は、ロータリーアトマイザを横に倒すときに、シャフト及びシールの破損を防ぐことができる、ロータ受け冶具を提供することにある。
本考案の他の目的は、ロータリーアトマイザを横に倒すときに、ロータの荷重を支え、ロータとスタンドとの距離を一定に保つことができるロータ受け冶具を提供することにある。
【課題を解決するための手段】
【００１１】
以下に、本考案を実施するための形態で使用される符号を括弧付きで用いて、課題を解決するための手段を記載する。この符号は、実用新案登録請求の範囲の記載と考案を実施するための形態の記載との対応を明らかにするために付加されたものであり、実用新案登録請求の範囲に記載されている考案の技術的範囲の解釈に用いてはならない。
【００１２】
本考案のロータ受け冶具（１）は、ロータリーアトマイザ（１００）のロータ（１２０）の外周面に接するロータ支持部（１０）と、ロータ支持部（１０）に結合し、ロータリーアトマイザ（１００）のスタンド（１３０）と取り外し可能に締結するスタンド支持部（２０）とを具備する。ロータ支持部（１０）とスタンド支持部（２０）とは、回転軸方向に対して傾いたロータ（１２）の荷重をスタンド（１３０）に基づいて支え、ロータ（１２０）の外周面とスタンド（１３０）との距離を一定に保つ。
【００１３】
このようなロータ受け冶具（１）は、ロータリーアトマイザ（１００）を横に倒すときに、ロータ（１２０）の荷重をロータ支持部（１０）とスタンド支持部（２０）とを介してスタンド（１３０）で支えることができるため、ロータ（１２０）とスタンド（１３０）との距離（４０）を一定に保つことができる。従って、ロータ受け冶具（１）は、シャフト（１１１）に回転軸方向に対して傾いた荷重が掛かることを防ぎ、シャフト（１１１）及びシール（１１３）の損傷を防ぐことが出来る。
【００１４】
本考案のロータ支持部（１０）は、ロータ（１２０）の外周面と面接触する円弧状の接触部（１１）と、ロータ（１２０）と面接触する接触部（１１）の第１面に接着するパッキン（１２）と、接触部（１１）の第１面と反対側の第２面から延びでて、スタンド支持部（２０）が結合する取付部（１３）とを備える。
【００１５】
このようなロータ受け冶具（１）は、接触部（１１）がロータ（１２０）との接触面積を増やし、更に、パッキン（１２）がロータ（１２０）の回転やすべりを防ぐため、ロータ（１２０）を支え易くすることができる。
【００１６】
本考案のスタンド支持部（２０）は、取付部（１３）と結合し、スタンド（１３０）と接する支持部（２１）と、スタンド（１３０）の外周面に接しながら周回し、支持部（２１）と取り外し可能に締結するＵ字ボルト部（２２、２３）とを備える。
【００１７】
このようなロータ受け冶具（１）は、支持部（２１）と、Ｕ字ボルト部（２２、２３）とがスタンド（１３０）との締結及び取り外しを行い易くすることができる。
【００１８】
本考案のロータ受け冶具（１）は複数のスタンド（１３０）を有するロータリーアトマイザ（１００）に適用できる。この場合、ロータ支持部（１０）は、複数のスタンド（１３０）のうちの１つと締結するスタンド支持部（２０）が２つ結合する。
【００１９】
このようなロータ受け冶具（１）は、ロータリーアトマイザ（１００）を倒したときに、ロータ（１２０）をより安定させて支えることができる。
【考案の効果】
【００２０】
本考案のロータ受け冶具は、ロータリーアトマイザを横に倒すときに、ロータの荷重を支えることができるため、ロータとスタンドとの距離を一定に保つことができる。従って、本考案のロータ受け冶具は、ロータリーアトマイザのシャフト及びシールの破損を防止することが出来る。
【図面の簡単な説明】
【００２１】
【図１】図１は、ロータリーアトマイザ１００の構成例を示した図である。
【図２】図２は、本考案のロータ受け冶具１が、ロータリーアトマイザ１００へ取り付けられたことを示す図である。
【図３】図３は、図２に示したロータリーアトマイザ１００が横に倒されていることを示す図である。
【図４】図４は、本考案の実施の形態によるロータ受け冶具１の斜視図である。
【図５】図５は、本考案の実施の形態によるロータ受け冶具１の平面図である。
【図６】図６は、図５に示したロータ支持部１０のＡ−Ａ断面図である。
【図７】図７は、図５に示したＢ方向から見たスタンド支持部２０を示した図である。
【考案を実施するための形態】
【００２２】
添付図面を参照して、本考案の実施の形態によるロータ受け冶具を説明する。
【００２３】
本考案のロータ受け冶具は、ロータリーアトマイザ１００が水槽から引き上げられた後、整備、点検するときに使用される。ロータ受け冶具がロータリーアトマイザ１００へ取り付けられて、シャフト１１１及びシール１１３の破損を防ぐ概要を説明する。図２は、本考案のロータ受け冶具１が、ロータリーアトマイザ１００へ取り付けられたことを示す図である。図２を参照すると、ロータ受け冶具１は、ロータリーアトマイザ１００のロータ１２０の外周面に接し、更に、２つの柱部１３１と締結される。尚、本明細書では、ロータリーアトマイザ１００は、３つの柱部１３１を備える場合を例に説明するが、柱部１３１の数を３つに限定するものではない。
【００２４】
図３は、図２に示したロータリーアトマイザ１００が横に倒されている（傾けられた）ことを示す図である。図３を参照すると、回転軸方向に対して傾いたロータ１２０の荷重は、ロータ受け冶具１を介して柱部１３１で支えられている。ロータリーアトマイザ１００が横に倒されたときも、シャフト１１１（図１参照）は回転軸方向に対して横からの力が加えられないため曲がる虞がない。シャフト１１１に負荷が掛からないため、シール１１３も損傷することがない。即ち、本考案のロータ受け冶具１は、ロータリーアトマイザ１００を横に倒すときに、ロータ１２０と柱部１３１との距離を一定に保つことができ、シャフト１１１及びシール１１３の破損を防ぐことが可能である。
【００２５】
ロータ受け冶具１の詳細を説明する。図４は、本考案の実施の形態によるロータ受け冶具１の斜視図である。図５は、本考案の実施の形態によるロータ受け冶具１の平面図である。図５においては、ロータ受け冶具１がロータリーアトマイザ１００へ取り付けられたときのロータ１２０及び柱部１３１の位置を点線で示している。図４及び図５を参照すると、ロータ受け冶具１は、ロータ支持部１０と、スタンド支持部２０とを具備する。尚、本明細書ではロータリーアトマイザ１００は３つの柱部１３１を有しており、各柱部１３１は中心角１２０度で配置されている。図５を参照すると、２つの柱部１３１の中心１３１ａは、ロータ１２０の中心１２０ａ、又はシャフト１１１の中心１１１ａを中心として、中心角１２０度の位置に配置される。
【００２６】
ロータ支持部１０は、ロータ１２０の外周面に接し、ロータ１２０を固定する。また、ロータ支持部１０は、スタンド支持部２０が結合する部位でもある。ロータ支持部１０は、接触部１１と、パッキン１２と、取付部１３とを備える。
【００２７】
接触部１１は、ロータ１２０の外周面に面接触させる部位である。接触部１１は、ロータ１２０との接触面積が大きい方が好ましい。例えば、ロータ１２０が円筒形状である場合、ロータ１２０の外周面の湾曲と同じ湾曲を有するように、接触部１１は平板を円弧状に湾曲させて形成される。図４及び図５では、接触部１１は長方形の平板がロータ１２０の形状に合わせて円弧状に湾曲された形状として例示されている。接触部１１はロータ１２０の荷重に耐えうるステンレスなどの金属によって形成される。
【００２８】
パッキン１２は、ロータ支持部１０がロータ１２０と接触したときの摩擦力を上げ、ロータ１２０の回転や、ロータ１２０のすべりを防止する。図６は、図５に示したロータ支持部１０のＡ−Ａ断面図である。図６を参照すると、パッキン１２は接触部１１に接着しており、接触部１１においてパッキン１２の接着する面はロータ１２０と接触する面である。パッキン１２は、ロータ１２０との接触面積が大きい方が好ましく、接触部１１のロータ１２０との接触面と同じ形状であることが好ましい。パッキン１２を形成する材料は、天然ゴムや合成ゴムなどの有機材料が例示される。
【００２９】
取付部１３は、スタンド支持部２０が結合する部位である。図６を参照すると、取付部１３は、接触部１１のパッキン１２が接着する面と反対側の面から延びでた部位である。取付部１３は、強度を有するために接触部１１の面と垂直に形成されることが好ましい。図６に示すように、取付部１３は鉛直な立面の接触部１１に対して、水平方向に形成される。取付部１３は、複数のスタンド支持部２０が結合することができる。図４及び図５では、取付部１３には２つのスタンド支持部２０が結合し、取付部１３は接触部１１の形状に合わせた円弧状の形状として例示されている。取付部１３は、接触部１１と同様に、ロータ１２０の荷重に耐えうるステンレスなどの金属によって形成される。
【００３０】
次に、スタンド支持部２０を説明する。図５を参照して、スタンド支持部２０は、ロータ支持部１０と結合し、スタンド１３０（特に柱部１３１）と取り外し可能に締結する。ロータ支持部１０とスタンド支持部２０とは、回転軸方向に対して傾いたロータ１２０の荷重を、各々の材料及び構造の強度と、スタンド１３０（柱部１３１）とに基づいて支え、ロータ１２０の外周面とスタンド１３１との距離４０を一定に保つことができる。従って、スタンド支持部２０は、接触部１１及び取付部１３と同様に、ロータ１２０の荷重に耐えうるステンレスなどの金属によって形成される。スタンド支持部２０は、支持部２１と、Ｕ字ボルト２２と、ナット２３とを備える。
【００３１】
支持部２１は取付部１３と結合し、更に、Ｕ字ボルト２２及びナット２３とが取り外し可能に締結する部位である。支持部２１と取付部１３とは、ロータ１２０の荷重に耐えられる強度で係止部３０により結合される。支持部２１と取付部１３とを結合する係止部３０は、複数含まれてもよい。係止部３０は、ボルトとナットとで形成することができるが、溶接を用いて支持部２１と取付部１３とを結合してもよい。
【００３２】
図７は、図５に示したＢ方向から見たスタンド支持部２０を示した図である。図７を参照すると、支持部２１は２つの孔部２１ａを含む。孔部２１ａは、Ｕ字ボルト２２が挿通する部位である。図４、図５及び図７に示すように、支持部２１は立面と平面とが直角に交わる形状が例示される。Ｕ字ボルト２２及びナット２３が締結する部位が支持部２１の立面であり、取付部１３と結合する部位が支持部２１の平面である。支持部２１がこのような形状を有すると、少ない材料で異なる結合方向の取付部１３とＵ字ボルト２２とを結合することができる。
【００３３】
Ｕ字ボルト２２は、両端部の各々にボルトを有する。Ｕ字ボルト２２の２つのボルトは、支持部２１の孔部２１ａを挿通し、ナット２３と締結する。図５に示すように、Ｕ字ボルト２２の２つのボルトの間隔２２ａは、ロータリーアトマイザ１００の柱部１３１の直径と等しい。つまり、ロータ受け冶具１がロータリーアトマイザ１００へ取り付けられたとき、支持部２１は柱部１３１と接し、Ｕ字ボルト２２はその柱部１３１の外周面に接しながら周回し、更に孔部２１ａを挿通してナット２３と締結する。即ち、支持部２１、Ｕ字ボルト２２及びナット２３は、柱部１３１を取り外し可能に締結することができる。
【００３４】
以上説明した、本考案のロータ受け冶具１の取り付け方法を、図２を参照しながら説明する。ロータ支持部１０の接触部１１は、回転軸に対して傾いていないロータ１２０の外周面に当接される。同時に、スタンド支持部２０の支持部２１は、２つの柱部１３１と当接される。Ｕ字ボルト２２は、柱部１３１の外周面に接しながら支持部２１の孔部２１ａを挿通する。孔部２１ａを挿通したＵ字ボルト２２は、ナット２３によって締結される。この状態において、ロータ受け冶具１は、ロータ１２０の外周面と柱部１３１との距離４０（図５参照）を一定に固定している。
【００３５】
図３を参照して、ロータリーアトマイザ１００を横に倒したときのロータ受け冶具１の作用を説明する。ロータリーアトマイザ１００が横に倒されると、回転軸に対して傾いたロータ１２０の荷重が、ロータ受け冶具１及び支柱１３１へ掛かる。ロータ１２０の荷重は、ロータ受け冶具１の強度と、支柱１３１の反作用力とによって支えることができる。
【００３６】
本考案のロータ受け冶具１は、ロータリーアトマイザ１００が横に倒されたときロータ１２０を支えることができるため、ロータ１２０の外周面とスタンド１３０との距離４０を一定に保つことができる。従って、本考案ロータ受け冶具１は、ロータリーアトマイザ１００を横に倒してもシャフト１１１の湾曲を防ぎ、シール１１３の損傷、更にはロータリーアトマイザ１００の破損をも防止する効果を奏する。
【符号の説明】
【００３７】
１      ロータ受け冶具
１０    ロータ支持部
１１    接触部
１２    パッキン
１３    取付部
２０    スタンド支持部
２１    支持部
２２    Ｕ字ボルト
２３    ナット
３０    係止部
４０    距離
１００  ロータリーアトマイザ
１１０  モータ部
１１１  シャフト
１１１ａ  中心
１１２  オイル室
１１３  シール
１２０  ロータ
１２０ａ  中心
１３０  スタンド
１３１  柱部
１３１ａ  中心
１３２  上部補強部
１３３  下部補強部
【図１】
0003149605.tif 000003
【図２】
0003149605.tif 000004
【図３】
0003149605.tif 000005
【図４】
0003149605.tif 000006
【図５】
0003149605.tif 000007
【図６】
0003149605.tif 000008
【図７】
0003149605.tif 000009